(57)【特許請求の範囲】
【請求項１】
橋桁を支持する支承を橋脚と橋桁との間に搬入し、または橋脚と橋桁との間から搬出する支承搬出入装置において、
自走式車両と、
前記自走式車両を固定するためのアウトリガと、
前記自走式車両から上方に延びるブームと、
前記ブームの先端に取り付けられたデッキと、
前記デッキの姿勢を水平状態に保持制御するコンピュータと、
前記デッキ上に設けられ、前記支承を移動させるための移動装置とを備えることを特徴とする支承搬出入装置。
【請求項２】
請求項１に記載の支承搬出入装置において、
前記デッキには、前記コンピュータに制御信号を送信して当該デッキを操作するための、移動可能な可搬式操作ボックスを備えることを特徴とする支承搬出入装置。
【請求項３】
請求項１又は請求項２に記載の支承搬出入装置において、
前記移動装置は、前記支承を支承受け台に載せて前記デッキ上で移動させるための移動用コンベア、または、移動用レールを備えることを特徴とする支承搬出入装置。
【請求項４】
請求項１に記載の支承搬出入装置を用いた支承搬入方法において、
前記アウトリガで前記自走式車両を固定し、前記移動装置に前記支承を搭載し、前記ブームを延ばして前記デッキの上面を前記橋脚の上面とほぼ同じ高さになるように持ち上げ、前記移動装置の一端を前記橋脚に載せ、前記移動装置を使用して前記支承を前記デッキ側より橋脚上へ搬入することを特徴とする支承搬入方法。
【請求項５】
請求項１に記載の支承搬出入装置を用いた支承搬出方法において、
前記アウトリガで前記自走式車両を固定し、前記移動装置に前記支承を搭載せずに、前記ブームを延ばして前記デッキの上面を前記橋脚の上面とほぼ同じ高さになるように持ち上げ、前記移動装置の一端を前記橋脚に載せ、前記移動装置を使用して橋脚上に設置された支承を前記デッキ側へ搬出することを特徴とする支承搬出方法。
【発明の詳細な説明】
【０００１】
【発明の属する技術分野】
本発明は、橋桁を支持する支承を橋脚と橋桁との間に搬入し、または、橋脚及び橋桁間から搬出する支承搬出入装置、及び支承搬入方法または支承搬出方法に関し、更に詳細には、支承搬出入作業における作業者の負担を軽減させることができる支承搬出入装置、及び支承搬入方法または支承搬出方法に関するものである。
【０００２】
【従来の技術】
一般に、橋脚でもって橋桁を支える橋梁においては、気温変化による橋桁の伸縮を吸収するため、橋脚及び橋桁間に、橋桁を支持する支承が配設されている。支承の大きさは、縦横４０から５０ｃｍ程度、高さ２０ｃｍ程度で、重量は５００Ｋｇ以下のものが大半である。
元々、支承の耐用年数は、橋梁自体の耐用年数に比べて短く、支承を取り替える必要があるが、最近は、耐震性の向上のため、鋼製の支承をゴム製の支承に取り替える動きが広がっており、支承の取り替え作業が増加しつつある。
従来の支承の取り替え作業としては、橋脚及び橋桁間に設置されていた前の支承を、取り外すことができる状態にした後に、チェーンブロック等により地上に吊り下げた後に、取り替え用の支承を、チェーンブロック等により、地上から橋脚及び橋桁間へ吊り上げる方法が用いられている。
【０００３】
【発明が解決しようとする課題】
このような従来の作業は、支承の重量が大きいことに加えて、高所で橋脚上の狭い空間での作業になるため、多くの時間と労力を要し、非効率でしかも危険を伴う作業であった。
そこで、本発明は、上述した問題を解決するべく、より効率的で安全に支承を橋脚及び橋桁間に搬入したりまたは橋脚及び橋桁間から支承を搬出できる支承搬出入装置、及び支承搬入方法または支承搬出方法を提供することを目的とする。
【０００４】
【課題を解決するための手段】
前記目的を達成するため請求項１に係る発明によれば、橋桁を支持する支承を橋脚と橋桁との間に搬入し、または橋脚と橋桁との間から搬出する支承搬出入装置において、自走式車両と、前記自走式車両を固定するためのアウトリガと、前記自走式車両から上方に延びるブームと、前記ブームの先端に取り付けられたデッキと、前記デッキの姿勢を水平状態に保持制御するコンピュータと、前記デッキ上に設けられ、前記支承を移動させるための移動装置とを備えたことを特徴とする。
また、本発明は、前記デッキには、前記コンピュータに制御信号を送信して当該デッキを操作するための、移動可能な可搬式操作ボックスを備えることを特徴とする。
【０００５】
このような特徴を有する請求項１に係る支承搬出入装置によれば、前記ブームを伸縮せることにより、前記移動装置に移載した耐用期限の過ぎた支承の搬出や新しい支承の橋脚上への搬入を、より効率的で安全に行うことができる。
【０００６】
また、本発明は、前記支承搬出入装置において、前記移動装置は、前記支承を支承受け台に載せて前記デッキ上で移動させるための移動用コンベア、または、移動用レールを備えることを特徴とする。
【０００７】
このような特徴を有する請求項２に係る支承搬出入装置によれば、移動用コンベア、または、移動用レール上を、支承受け台が移動することができるので、支承をデッキ上で移動させる作業が容易になる。
【０００８】
また、本発明は、前記支承搬出入装置を用いた支承搬入方法において、前記アウトリガで前記自走式車両を固定し、前記移動装置に前記支承を搭載し、前記ブームを延ばして前記デッキの上面を前記橋脚の上面とほぼ同じ高さになるように持ち上げ、前記移動装置の一端を前記橋脚に載せ、前記移動装置を使用して支承を前記デッキ側より橋脚上へ搬入することを特徴とする。
【０００９】
このような特徴を有する請求項３に係る支承搬入方法により、前記支承を前記橋脚の上面とほぼ同じ高さまで持ち上げる作業や橋脚上へ搬出する作業を、より効率的で安全に行うことができる。
【００１０】
また、本発明は、前記支承搬出入装置を用いた支承搬出方法において、前記アウトリガで前記自走式車両を固定し、移動装置に前記支承を搭載せずに、前記ブームを延ばして前記デッキの上面を前記橋脚の上面とほぼ同じ高さになるように持ち上げ、前記移動装置の一端を前記橋脚に載せ、前記移動装置を使用して橋脚上に設置された支承を前記デッキ側へ搬出することを特徴とする。
【００１１】
このような特徴を有する請求項４に係る支承搬出方法により、前記支承を前記デッキ上へ移載する作業や橋脚上面から搬出する作業を、より効率的で安全に行うことができる。
【００１２】
【発明の実施の形態】
以下、本発明に係る支承搬出入装置、支承搬入方法、及び支承搬出方法につき具体化した実施形態に基づいて、図面を参照しつつ詳細に説明する。図１は実施の形態の支承搬出入装置１を示す正面図であり、図２は支承搬出入装置１のデッキ５を上方に移動させた状態を示し、図３はそのデッキ５を旋回させた状態を示し、図４は支承搬出入装置１のブーム４を上方に延ばした状態を示す。
【００１３】
支承搬出入装置１は、図１に示すように、駆動部２ａ及びタイヤ２ｂ等を有する自走式車両２と、自走式車両２を固定するためのアウトリガ３と、自走式車両２から上方に延びるブーム４と、ブーム４の先端に取り付けられたデッキ５とを備えている。
アウトリガ３は、自走式車両２のタイヤ２ｂの前後左右両側にあって、図２に示すように、動作した場合には、自走式車両２のタイヤ２ｂを地上から浮かせることにより、自走式車両２を固定することができる。ブーム４は、自走式車両２の収納の位置（一点鎖線）から後方部４ａを中心に上方に上がり、更に図３に示すように、デッキ５を１８０度旋回させた後、図４に示すように、スライドして上方空間部に延びるように構成されている。
【００１４】
デッキ５には、移動装置及び移動用コンベヤとしての移動用ローラコンベヤ６が配置され、多数の移動用ローラ６ａを備えており、支承Ｓを受ける支承受け台７が、多数の移動用ローラ６ａ上に載って、円滑に移動することができる。移動用ローラコンベヤ６の前端はデッキ５の前方部より突き出ているので、移動用ローラコンベヤ６の一端を橋脚Ｈに載せることができる（図８参照）。
【００１５】
図５はデッキ５及び移動用ローラコンベヤ６の拡大正面図であり、図６は図５のＡーＡ線で切断した要部断面図である。
そして、移動用ローラコンベヤ６には、図５及び図６に示すように、支承Ｓの移動方向に、左右のガイドレール８が延設され、左右のガイドレール８間を、複数の移動用ローラ６ａが回転可能に並設されている。移動用ローラコンベヤ６の後方側には、支承受け台７が移動用ローラコンベヤ６からデッキ５へ飛び出さないように、固定ストッパ９が設けられている。移動用ローラコンベヤ６の下方には、補強フレーム１１が固設され、補強フレーム１１は、縦フレーム１１ａと、ツナギ梁１１ｂとを井桁状に組んで形成されている。
【００１６】
デッキ５の後方側には、図１乃至図５に示すように、姿勢制御用のコンピュータ１０が設けられており、コンピュータ１０は、デッキ５が常に水平状態を保持するように、ブーム４を調整することができる。移動用ローラコンベヤ６のほぼ中央には、支承受け台７の前方側への移動を防止するための、着脱式ストッパ１２が設けられ、デッキ５を移動させる際に着脱式ストッパ１２を取り付ける。デッキ５の前方側には、コンピュータ１０に制御信号を送信してデッキ５を移動させるための、移動可能な可搬式操作ボックス１３が載置されている。
【００１７】
次に、支承Ｓの搬出方法または搬入方法について説明する。
支承Ｓを搬出する場合、支承Ｓ上に載っている橋桁Ｋ（図７参照）を油圧ジャッキＫ１等で上方に持ち上げて（図８参照）、橋桁Ｋの荷重が支承Ｓにかからないようしておく。そして、アウトリガ３で自走式車両２を固定した状態で（図２参照）、ブーム４を上方へ延ばして（図４参照）、支承受け台７を載せて、デッキ５の上面を橋脚Ｈの上面とほぼ同じ高さになるように持ち上げる。尚、橋桁Ｋは一部のみ図示する。
【００１８】
その後、作業足場Ａ１上の作業者が、デッキ５より取り出した可搬式操作ボックス１３を操作して（図７参照）、移動用ローラコンベヤ６を橋脚Ｈの上面よりやや浮いた状態にして移動させ、移動用ローラコンベヤ６の一端を橋脚Ｈの上面に載せて（図８参照）、移動用ローラコンベヤ６が安定するように保持する。そして、作業者が移動用ローラコンベヤ６から、着脱式ストッパ１２を取り除くことにより、支承受け台７を移動用ローラコンベヤ６の先端側に移動させる（図８参照）。
尚、交換作業の際、図８に示すように、支承Ｓを橋脚Ｈ上に固定するためのアンカーボルトを取付部ごと取り去るため、橋脚Ｈの上側の一部は、はつり取られた状態になっている。
【００１９】
そして、作業者は、支承Ｓを移動用ローラコンベヤ６上の支承受け台７に載せる（図９参照）。次に、作業者は、支承Ｓを載せた支承受け台７を、移動用ローラコンベヤ６上で押して、デッキ５中央に移動させることにより（図１０参照）、橋脚Ｈ上に設置された支承Ｓをデッキ５側へ搬出することができる。
その後、着脱式ストッパ１２を移動用ローラコンベヤ６に取り付け、作業足場Ａ１上の作業者が、可搬式操作ボックス１３を操作して、移動用ローラコンベヤ６が橋脚Ｈの上面よりやや浮いた状態にして、移動用ローラコンベヤ６の一端を橋脚Ｈの上面から外すように移動させる（図１１参照）。その後、ブーム４を下方へ移動させて、支承受け台７上の使用済みの支承Ｓを搬出用トラックに乗せ替える。
【００２０】
次に、新しい支承Ｓを搬入する場合は、新しい支承Ｓを支承受け台７に載せて、ブーム４を延ばして、デッキ５を上方へ移動させて（図４参照）、デッキ５の上面を前記橋脚の上面とほぼ同じ高さになるように持ち上げる。そして、作業足場Ａ１上の作業者が、可搬式操作ボックス１３を操作して、移動用ローラコンベヤ６が橋脚Ｈの上面よりやや浮いた状態にして移動させ、移動用ローラコンベヤ６の一端を橋脚Ｈに載せる。
その後、作業者は、着脱式ストッパ１２を取り除いた後、移動用ローラコンベヤ６を使用して、新しい支承Ｓを載せた支承受け台７を、デッキ５中央から先端側に移動させる。そして、橋脚Ｈ上面を修復した後に、新しい支承Ｓをデッキ５側から橋脚Ｈ上に移動して橋脚Ｈ上面に固設する。
【００２１】
以上の実施の形態により、より効率的で安全に支承Ｓを橋脚Ｈ及び橋桁Ｋ間に搬入したり、または、橋脚Ｈ及び橋桁Ｋ間から支承Ｓをデッキ５へ搬出できる。
【００２２】
また、本発明は上述した実施の形態に限らず、その趣旨を逸脱しない範囲で、様々な形態に応用が可能である。実施の形態では、デッキ５には、移動用ローラコンベヤ６のみが配設されていたが、例えば、図１２に示すように、デッキ５上で支承Ｓを移動させるための移動装置として、移動用ローラコンベヤ６及び油圧シリンダＹ１を備えてもよい。この場合、油圧シリンダＹ１のピストンＹ２を伸ばすことにより、特に重量がある支承Ｓを受ける支承受け台７を、橋脚Ｈ方向に向かって移動させることができるので、作業者が支承Ｓを受ける支承受け台７を移動させる負担を軽減することができる。
また、実施の形態ではデッキ５には、移動用ローラコンベヤ６が配設されていたが、移動用ローラコンベヤ６の替わりに、移動用レールを備えてもよい。また、支承受け台８の替わりに移動用トロッコを備えてもよい。
【００２３】
【発明の効果】
以上説明した通り、本発明に係る支承搬出入装置によれば、耐用期限の過ぎた支承を移動装置に移載した後の搬出や、新しい支承の橋脚上への搬入を、より効率的で安全に行うことができる。また、支承をデッキ上で移動させる作業が容易に行うことができる。
また、本発明に係る支承搬入方法によれば、支承を橋脚の上面とほぼ同じ高さまで持ち上げる作業や橋脚上へ搬出する作業を、より効率的で安全に行うことができる。また、本発明に係る支承搬出方法により、支承をデッキ側へ移載する作業や橋脚上面から搬出する作業を、より効率的で安全に行うことができる。
【図面の簡単な説明】
【図１】この実施の形態の支承搬出入装置を示す正面図である。
【図２】この実施の形態の支承搬出入装置を示す正面図であって、デッキを上方に移動させた状態を示す。
【図３】この実施の形態の支承搬出入装置を示す正面図であって、デッキを旋回させた状態を示す。
【図４】この実施の形態の支承搬出入装置を示す正面図であって、ブームを上方に延ばした状態を示す。
【図５】この実施の形態における移動用ローラコンベヤ及びデッキを拡大して示す正面図である。
【図６】図５のＡーＡ線で切断した要部断面図である。
【図７】この実施の形態の支承搬出入装置の動作を示す拡大正面図であって、移動用ローラコンベヤを橋脚方向へ移動させた状態を示す。
【図８】この実施の形態の支承搬出入装置の動作を示す拡大正面図であって、移動用ローラコンベヤの一端を橋脚の上面に載せた状態を示す。
【図９】この実施の形態の支承搬出入装置の動作を示す拡大正面図であって、使用済みの支承を移動用ローラコンベヤに載せる状態を示す。
【図１０】この実施の形態の支承搬出入装置の動作を示す拡大正面図であって、支承を載せた支承受け台を移動させる状態を示す。
【図１１】この実施の形態の支承搬出入装置の動作を示す拡大正面図であって、移動用ローラコンベヤを橋脚の上面よりやや浮いた状態を示す。
【図１２】移動装置の変形例を拡大して示す側面図である。
【符号の説明】
１  支承搬出入装置
Ｈ  橋脚
Ｋ  橋桁
２  自走式車両
３  アウトリガ
４  ブーム
５  デッキ
６  移動用ローラコンベヤ（移動装置、移動用コンベヤ）
７  支承受け台
Ｓ  支承
Ｙ１  油圧シリンダ（移動装置）
【図１】
0003685778.tif 000002
【図２】
0003685778.tif 000003
【図３】
0003685778.tif 000004
【図４】
0003685778.tif 000005
【図５】
0003685778.tif 000006
【図６】
0003685778.tif 000007
【図７】
0003685778.tif 000008
【図８】
0003685778.tif 000009
【図９】
0003685778.tif 000010
【図１０】
0003685778.tif 000011
【図１１】
0003685778.tif 000012
【図１２】
0003685778.tif 000013